(57)【要約】【課題】  プランジャストローク方向への大型化を避けることが可能な不正防止機構を備えた入賞球受口器を提供する。【解決手段】  操作アーム３はプランジャ４２の前進動に伴って下方へ回動して可動翼片２Ａ，２Ｂを起立姿勢へ回動操作するとともに、プランジャ４２の後退動に伴って上方へ回動して可動翼片２Ａ，２Ｂを傾倒姿勢へ回動操作する。ストッパ部材６はプランジャ４２の移動方向へのみ相対移動を規制された状態で当該プランジャ４２に係合してこれと一体に移動する。ストッパ部材６は案内溝１４に沿って移動させられ、プランジャ４２の前進動に伴って前下方のストッパ位置１４３に至って、操作アーム３の上方でこれに対向し、操作アーム３の上方回動を規制する。ストッパ部材６はプランジャ４２の後退動に伴って後上方の退避方向へ移動して操作アーム３の上方回動を可能にする。【選択図】        図１
2007325670.tif 000002
【特許請求の範囲】
【請求項１】
回動可能に支持され、起立して入賞球の進入を困難にする起立姿勢と、傾倒して入賞球の進入を容易にする傾倒姿勢とに回動させられる可動翼片と、直線往復動するプランジャを備える駆動手段と、回動可能に支持され、前記プランジャの往復動に応じて正逆回動させられて、先端が前記可動翼片の一部に当接して前記プランジャの一方向動に伴って正回動して前記可動翼片を起立姿勢へ操作するとともに、前記プランジャの他方向動に伴って逆回動して前記可動翼片を傾倒姿勢へ操作する操作アームと、ストッパ位置へ進出移動ないし当該ストッパ位置から退避移動可能なストッパ部材とを備え、前記ストッパ部材は前記プランジャによって移動させられるもので、前記プランジャの一方向動に伴って進出させられて前記ストッパ位置では前記操作アームの逆回動方向でこれに対向して前記操作アームの逆回動を規制するとともに、前記プランジャの他方向動に伴って退避させられて前記操作アームの逆回動を可能にするものである遊技機の入賞球受口器。
【発明の詳細な説明】
【技術分野】
【０００１】
本発明は遊技機の入賞球受口器に関し、特に、回動開閉する一対の可動翼片を設けた入賞球受口器の不正防止機構に関するものである。
【背景技術】
【０００２】
回動可能に支持された一対の可動翼片を備える入賞球受口器において、可動翼片の開閉操作を、電磁ソレノイドによって正逆回動させられる操作アームで行うようにしたものがある。この場合、遊技機前面から差し込んだ針金等によって、起立姿勢の可動翼片を強制的に開放させる不正行為がなされることがあった。
【０００３】
そこで、これを防止するために、特許文献１では、電磁ソレノイドのプランジャ先端に取着されてクランク部材（操作アーム）を回動操作するソレノイドクランクに抑え片を形成するとともに、上記クランク部材の基端部に切欠部を形成して、プランジャが進出しクランク部材が下方回動して可動翼片が閉鎖された状態では、上記抑え片が切欠部に嵌合してクランク部材の上方回動を規制し、可動翼片の開放を阻止するようにしている。
【特許文献１】特許第３３９４２２９号
【発明の開示】
【発明が解決しようとする課題】
【０００４】
しかし、上記特許文献１に記載の従来構造では、抑え片がプランジャと一体になっているため、プランジャのストロークとして、クランク部材の上方回動および下方回動のストロークに加えて、抑え片と切欠部の嵌合およびその解消のためのストロークが必要となり、このためプランジャのストローク長が長くなって、この方向へ入賞球受口器が延び、他部材との干渉を避けるために配置に苦慮するという問題がある。また、抑え片が切欠部との嵌合を完全に解消するまではクランク部材を上方回動させることができないので、その分だけ可動翼片を開放させ始めるタイミングが遅延するという問題もあった。
【０００５】
そこで、本発明はこのような課題を解決するもので、プランジャストローク方向への大型化を避けることが可能な不正防止機構を備えた遊技機の入賞球受口器を提供することを目的とする。
【課題を解決するための手段】
【０００６】
上記目的を達成するために、本発明では、回動可能に支持され、起立して入賞球の進入を困難にする起立姿勢と、傾倒して入賞球の進入を容易にする傾倒姿勢とに回動させられる可動翼片（２Ａ，２Ｂ）と、直線往復動するプランジャ（４２）を備える駆動手段（４）と、回動可能に支持され、プランジャ（４２）の往復動に応じて正逆回動させられて、先端（３１１，３２１）が可動翼片（２Ａ，２Ｂ）の一部に当接してプランジャ（４２）の一方向動に伴って正回動して可動翼片（２Ａ，２Ｂ）を起立姿勢へ回動操作するとともに、プランジャ（４２）の他方向動に伴って逆回動して可動翼片（２Ａ，２Ｂ）を傾倒姿勢へ回動操作する操作アーム（３）と、ストッパ位置（１４３）へ進出移動ないし当該ストッパ位置（１４３）から退避移動可能なストッパ部材（６，７）とを備え、ストッパ部材（６，７）はプランジャ（４２）によって移動させられるもので、プランジャ（４２）の一方向動に伴って進出させられてストッパ位置（１４３）では操作アーム（３）の逆回動方向でこれに対向して操作アーム（３）の逆回動を規制するとともに、プランジャ（４２）の他方向動に伴って退避させられて操作アーム（３）の逆回動を可能にするものである。
【０００７】
本発明においては、プランジャとは別体のストッパ部材を設けているから、可動翼片の強制開放に伴う操作アームの上方回動を確実に規制して不正行為を未然に防止することができる。そして、上記ストッパ部材を、プランジャの一方向動による操作アームの正回動と同時にストッパ位置へ進出移動させることができるとともに、プランジャの他方向動による操作アームの逆回動と同時に退避方向へ移動させることができるから、操作アームを回動させるためのプランジャストローク内でストッパ部材の移動も行なうことができる。したがって、プランジャストロークを必要以上に長くする必要がないから、ストローク方向への入賞球受口器の大型化を避けることができる。この場合、プランジャの作動に伴って即座に操作アームが回動させられるから可動翼片の開閉タイミングが遅延することがない。なお、ストッパ部材は配置される電磁ソレノイドの最上端水平線位置から操作アームの最下端水平線位置までの間での移動が可能であるので、従来（例えば特開２００３−０３３４８９）に比して、高さ方向への拡張も必要ない。また、ストッパ部材をプランジャとは別体にしているから、ストッパ部材が不要な機種ではこれを設けず、入賞球受口器の構造を簡素化することができる。
【０００８】
ここで、上記ストッパ部材（６）はプランジャ（４２）の移動方向へのみ相対移動を規制された状態で当該プランジャ（４２）に係合してこれと一体に移動し、一方、上記プランジャ（４２）の移動方向に対して交差する方向へストッパ部材（６）を移動案内する案内部材（１２）を設ける構成とすることができる。  
【０００９】
また、上記ストッパ部材（７）は回動可能に軸支されて、プランジャ（４２）の移動に伴って進出回動させられて上記ストッパ位置に至るようなものとすることができる。
【００１０】
なお、上記カッコ内の符号は、後述する実施形態に記載の具体的手段との対応関係を示すものである。
【発明の効果】
【００１１】
以上のように本発明の遊技機の入賞球受口器によれば、ストッパ部材を付加しても入賞球受口器の大きさを変えることなく同じ寸法を維持することができるから、他部材との干渉を避けるために配置に苦慮するという問題が解消される。
【発明を実施するための最良の形態】
【００１２】
（第１実施形態）
図１には入賞球受口器の側面図を示し、図２にはその分解斜視図を示す。各図において、入賞球受口器はハウジング１を備えており、ハウジング１は遊技盤へ取り付けられる前板１１と、当該前板１１の裏面に突出形成されたガイド壁１２より構成されている。前板１１には中央に開口１３が形成されており、ガイド壁１２は当該開口１３を囲むように形成されている。前板１１の左右位置から前方へ突出させた一対の軸体２１（図１）にはそれぞれ可動翼片２Ａ,２Ｂ（図２）がその基端部を回転自在に装着されており、これら可動翼片２Ａ，２Ｂは、互いに起立し対向して入賞球の進入を困難にする起立姿勢（図２の状態）と、互いに離間する方向へ傾倒して入賞球の進入を容易にする傾倒姿勢（図３参照）とに回動可能である。ここで、本実施形態では各可動翼片２Ａ，２Ｂの下端部に、前板１１方向へ突出して開口１３内に進入するストッパ片２２が形成されている。なお、可動翼片２Ａ，２Ｂの前方にはカバー板８１が設けられている。
【００１３】
ガイド壁１２内には操作アーム３が収納されている。操作アーム３は平面視で略コ字形に形成されており、左右のアーム部３１，３２の基端側面に突出形成された軸部３３が、ガイド壁１２の左右の側壁下端部に設けた取付孔１２１内に回転可能に挿入されて、上下方向へ回動可能となっている。操作アーム３の左右のアーム部３１，３２はその先端３１１，３２１がそれぞれ開口１３を経て可動翼片２Ａ，２Ｂの下端部へ延びてその一部に当接しており、操作アーム３が下方へ回動すると可動翼片２Ａ，２Ｂは起立姿勢へ回動操作され（図１）、操作アーム３が上方へ回動すると可動翼片２Ａ，２Ｂは傾倒姿勢へ回動操作される（図３参照）。下方へ回動した操作アーム３のアーム部先端３１１，３２１にはその外側面に、起立姿勢の各可動翼片２Ａ，２Ｂの上記ストッパ片２２が当接している。なお、操作アーム３の各アーム部３１，３２からは上方へ操作片３４が延びている。
【００１４】
操作アーム３の上方には電磁ソレノイド４が位置しており、当該電磁ソレノイド４はガイド壁１２の上半後端面に固定されている。電磁ソレノイド４のケーシング４１の前面中心からはガイド壁１２内へプランジャ４２が突出しており、プランジャ４２の先端部４２１は大径の円板状となっている。プランジャ４２の外周には筒状に形成された挟持片５が嵌装してあり、当該挟持片５とプランジャ先端部４２１との間には詳細を後述するストッパ部材６が位置している。プランジャ４２の外周には上記挟持片５と電磁ソレノイド４のケーシング４１前面との間にコイルバネ４３（図２）が配設されて、その伸張バネ力によって挟持片５を介してプランジャ４２を突出方向へ付勢している。電磁ソレノイド４に通電励磁するとプランジャ４２はコイルバネ４３のバネ力に抗してケーシング４１の前面に向けて後退させられる。
【００１５】
ストッパ部材６は下方へ延びる左右のストッパ部６１，６２を備えた門型に形成されており、各ストッパ部６１，６２の下端は操作アーム３の左右のアーム部３１，３２に近い上方に位置して、アーム部３１，３２に対向している。ストッパ部材６は左右のストッパ部６１，６２を連結する連結部６３の板面がプランジャ先端部４２１と挟持片５とで挟まれており、これによってストッパ部材６はプランジャ４２の移動方向へは相対移動を規制されるとともに、プランジャ移動方向と直交する上方へは相対移動可能となっている。ストッパ部材６の左右のストッパ部６１，６２の上端側面にはピン部６４が突設されており、当該ピン部６４はガイド壁１２の左右の側壁の上半部に形成されたガイド溝１４内にこれに沿って移動可能に位置している。
【００１６】
ガイド溝１４はガイド壁１２の側壁の一部を一定幅の線状に切り欠いて形成されており、ガイド壁１２の後端面から水平前方へ延び（以下、上端水平部１４１という）た後、斜め前下方へ延び（以下、傾斜部１４２という）、さらに水平に前方へ延びて（以下、下端水平部１４３という）いる。電磁ソレノイド４が非励磁状態で、プランジャ４２がコイルバネ４３のバネ力で突出した状態では、ストッパ部６１，６２のピン部６４はガイド溝１４の下端水平部１４３（ストッパ位置）に位置して、既述のように、ストッパ部６１，６２の下端が操作アーム３のアーム部３１，３２からやや離れた上方でこれらに対向している。操作アーム３の各アーム部３１，３２から延びる操作片３４の上端はストッパ部材６の連結部６３の後面と挟持片５との間に位置しており、プランジャ４２が突出した状態では上記操作片３４を介して操作アーム３は下方へ回動（正回動）させられて、図１に示すように、可動翼片２Ａ，２Ｂを起立姿勢に回動操作している。
【００１７】
このような構造の入賞球受口器において、起立姿勢の可動翼片２Ａ，２Ｂをプランジャ４２によることなく外部から強制的に傾倒させようとしても、各可動翼片２Ａ，２Ｂの下端部に設けたストッパ片２２がそれぞれ操作アーム３のアーム部先端３１１，３２１の外側面に当接していることにより、可動翼片２Ａ，２Ｂが互いに離間する方向へ傾倒することは規制される。さらに強い強制力で可動翼片２Ａ，２Ｂを傾倒させようとすると、操作アーム３のアーム部３１，３２が上方へ押し上げられ、操作片３４により挟持片５は若干後退するものの、プランジャ先端部４２１およびストッパ部材６の連結部６３はその位置を維持するため、すぐ上方に位置するストッパ部材６のストッパ部６１，６２下端に当接してそれ以上の上方回動（逆回動）が阻止される。ストッパ片２２により可動翼片２Ａ，２Ｂ自体の、不正や遊技球の衝撃による誤った傾倒を防止し、ストッパ部材６により操作アーム３の、不正による逆回動を防止している。このように異なる性質を有する防犯機構を重畳的に備えることにより、より安全性の高い入賞球受口器とすることができる。
【００１８】
可動翼片２Ａ，２Ｂを開放操作する場合には電磁ソレノイド４を通電励磁し、プランジャ４２をコイルバネ４３のバネ力に抗してケーシング４１前面に向けて後退させる。これに伴い、操作片３４を介して操作アーム３は上方へ回動させられ、アーム部３１，３２の先端３１１，３２１によって各可動翼片２Ａ，２Ｂが互いに離間する方向へ傾倒させられて傾倒姿勢となる（図３）。この時、ストッパ部材６はプランジャ４２が後退を開始するのに伴ってこれと一体に後退移動するが、同時に、そのピン部６４がガイド溝１４の下端水平部１４３から傾斜部１４２を経て上端水平部１４１手前へ移動するため、ストッパ部材３は全体として後上方へ移動して退避位置に至る。このように、操作アーム３のアーム部３１，３２の上方回動に伴ってストッパ部材６のストッパ部６１，６２も上方へ移動するから、アーム部３１，３２の上方回動が妨げられることはない。
【００１９】
可動翼片２Ａ，２Ｂを再び起立操作する場合には電磁ソレノイド４への通電を解消してこれを非励磁にする。プランジャ４２はコイルバネ４３のバネ力によって前板１１に向けて進出し、これに伴い、操作片３４を介して操作アーム３が下方へ回動させられて、アーム部３１，３２の先端３１１，３２１によって各可動翼片２Ａ，２Ｂが互いに対向するように起立させられ起立姿勢となる（図１）。この時、ストッパ部材６はプランジャ４２が前進を開始するのに伴ってこれと一体にガイド溝１４に沿って斜め前方へ移動してストッパ位置１４３に至る。
【００２０】
本実施形態では、プランジャ４２とは別体のストッパ部材６を設けることによって、可動翼片２Ａ，２Ｂの強制傾倒に伴う操作アーム３の上方回動を確実に規制して不正行為を未然に防止することができる。そして上記ストッパ部材６を、プランジャー４２の後退動による操作アーム３の上方回動と同時にストッパ位置１４３から上方の退避位置１４１へ移動させるとともに、プランジャー４２の前進動による操作アーム３の下方回動と同時に退避位置１４１から下方のストッパ位置１４３へ移動させているから、操作アーム３を回動させるためのプランジャストローク内でストッパ部材６の移動も行なうことができる。したがって、プランジャストロークを必要以上に長くする必要がなく、ストローク方向への入賞球受口器の大型化を避けることができる。また、本実施形態では、ストッパ部材６をプランジャ４２の移動方向に対して交差する方向へ移動させているから、これによってもストローク方向への入賞球受口器の大型化が回避される。さらに、ストッパ部材６をプランジャ４２とは別体にしているから、ユーザのニーズに応じて柔軟に、入賞球受口器の不正防止機能付きの有無を変更することができる。なお、本実施形態における可動翼片２Ａ，２Ｂのストッパ片２２を設けなくても、従来の入賞球受口器に比して十分な防犯機能を発揮することができる。一方、ストッパ部材６２を設けず、ストッパ片２２のみとしても従来の入賞球受口器に比して十分な防犯機能を発揮することができる。また、本実施形態で説明した内部構造に基づき、可動翼片をいずれか一方のみとすることも可能である。
【００２１】
（第２実施形態）
本実施形態では、図４に示すように、第１実施形態におけるガイド壁１２の側壁の、ガイド溝１４の下方に、さらに略同一形状のガイド溝１５を平行に形成してある。そして、ストッパ部材６のストッパ部６１，６２の上下方向中間部に新たなピン部６５を突設して、これをガイド溝１５内にこれに沿って移動可能に位置させてある。他の構造は第１実施形態と同様である。このような構造によれば、上記第１実施形態と同様の効果が得られるとともに、上下のピン部６４，６５によってストッパ部材６は常に確実に直立姿勢に保持されるから、操作アーム３に対するストッパ作用がさらに確実に行われる。なお、図５は操作アーム３が上方へ回動して可動翼片２Ａ，２Ｂが傾倒させられ、ストッパ部材６が上方の退避位置へ至った状態を示すものである。
【００２２】
（第３実施形態）
本実施形態では、図６に示すように、ストッパ部材７は連結部７１を介して両側に略Ｌ字形に屈曲形成されたアーム状のストッパ部７２を有しており、ストッパ部材７は各ストッパ部７２の屈曲部側面に突設された軸部７３が、電磁ソレノイド４のケーシング４１前面に設けた支持片４４に回動可能に支持されている。ストッパ部材７の連結部７１はプランジャ４２の先端部４２１と挟持片５の間に位置し、電磁ソレノイド４の励磁が解消されてプランジャ４２がコイルバネ４３（図２参照）のバネ力で進出させられた図６に示す状態では、上側アーム７２１に対して略直角に下方へ延びた下側アーム７２２の先端７２３が操作アーム３のアーム部３１，３２に近い上方のストッパ位置にあって、前方へ下がり傾斜した上記アーム部３１，３２に対向している。下側アーム７２２の先端７２３は楔状に形成されて、後下方へ傾斜するその先端側面７ａが、操作アーム３のアーム部３１，３２上面に形成された突出部３５に対向している。また、操作アーム３の操作片３４の上端はプランジャ先端部４２１と挟持片５の間に位置している。他の構造は第１実施形態と同様である。
【００２３】
可動翼片２Ａ，２Ｂが起立姿勢となっている図６の状態で、強制的に可動翼片２Ａ，２Ｂを起立させようとすると操作アーム３の脚部３１，３２が上方へ押し上げられるが、すぐ上方に位置するストッパ部材７の下側アーム先端７２３の側面７ａにアーム部３１，３２の突出部３５が当接して、ストッパ部材を図６の時計方向へ回動させようとする。しかし、プランジャ４２に連結部７１を係止されたストッパ部材７はそれ以上の時計方向への回動を規制されているから、操作アーム３のアーム部３１，３２の上方回動は阻止される。これにより、可動翼片２Ａ，２Ｂの強制傾倒は確実に防止される。
【００２４】
可動翼片２Ａ，２Ｂを開放操作する場合には電磁ソレノイド４を通電励磁し、プランジャ４２をコイルバネ４３のバネ力に抗してケーシング４１前面へ向けて後退させる。これに伴い、操作片３４を介して操作アーム３は上方へ回動させられ、アーム部３１，３２の先端３１１，３２１によって各可動翼片２Ａ，２Ｂが互いに離間する方向へ傾倒させられて傾倒姿勢となる（図７）。この時、ストッパ部材７はプランジャ４２が後退を開始するのに伴って図６の反時計方向へ回動させられ、下側アーム７２２の先端７２３が上方の退避位置へ移動する（図７）。このように、操作アーム３のアーム部３１，３２の上方回動に伴ってストッパ部材７の下側アーム７２２も上方へ回動移動するから、アーム部３１，３２の上方回動が妨げられることはない。本実施形態のよっても、第１実施形態と同様の効果が得られる。
【図面の簡単な説明】
【００２５】
【図１】本発明の第１実施形態における可動翼片起立時の入賞球受口器の側面図である。
【図２】入賞球受口器の分解斜視図である。
【図３】可動翼片傾倒時の入賞球受口器の側面図である。
【図４】本発明の第２実施形態における可動翼片起立時の入賞球受口器の側面図である。
【図５】可動翼片傾倒時の入賞球受口器の側面図である。
【図６】本発明の第３実施形態における可動翼片起立時の入賞球受口器の側面図である。
【図７】可動翼片傾倒時の入賞球受口器の側面図である。
【符号の説明】
【００２６】
１…ハウジング、１２…ガイド壁（案内部材）、１４…案内溝、１４３…下端水平部（ストッパ位置）、２Ａ，２Ｂ…可動翼片、３…操作アーム、３１１，３２１…先端、電磁ソレノイド（駆動手段）、４２…プランジャ、６，７…ストッパ部材。
【図１】
2007325670.tif 000003
【図２】
2007325670.tif 000004
【図３】
2007325670.tif 000005
【図４】
2007325670.tif 000006
【図５】
2007325670.tif 000007
【図６】
2007325670.tif 000008
【図７】
2007325670.tif 000009